(57)【要約】  【課題】断熱材の枚数を減らすことができ、曲面を有した浴槽であっも断熱効果を高めることができる断熱浴槽を提供する。  【解決手段】ガスバリア性のラミネートフィルム７で複数の芯材６を覆い同一平面上の複数の独立空間に真空密封した真空断熱材４で、浴槽５の内部空間の曲面または前記内部空間の複数の面（隣り合う二面を含む）を連続して覆ったものであり、真空断熱材４における芯材が無い部分で折り曲げることができるので、浴槽５の内部空間の曲面に適用でき、また、浴槽５の内部空間を構成する複数の面（隣り合う二面を含む）を連続して覆うことができ、浴槽５の内部空間を覆う真空断熱材４の被覆率が高くなるので断熱効果が高くなり、湯温の低下を抑えることができる。また、真空断熱材４が浴槽５内部にあることにより、真空断熱材４の破袋を低減することができ、長期間の使用が可能となる。【選択図】図１
2006102295.tif 000002
【特許請求の範囲】
【請求項１】
ガスバリア性のラミネートフィルムで複数の芯材を覆い同一平面上の複数の独立空間に真空密封した真空断熱材で、浴槽の内部空間の曲面または前記内部空間の複数の面を連続して覆った断熱浴槽。
【請求項２】
ガスバリア性のラミネートフィルムで複数の芯材を覆い同一平面上の独立空間に真空密封した真空断熱材で、浴槽の外周面を構成する曲面または前記外周面を構成する複数の面を連続して覆い、前記真空断熱材を外気から遮断するように遮断部材で前記真空断熱材を覆った断熱浴槽。
【請求項３】
真空断熱材の周囲を耐透湿性の部材で覆った請求項１または請求項２に記載の断熱浴槽。
【請求項４】
耐透湿性の部材が耐透湿性の断熱材である請求項３に記載の断熱浴槽。
【請求項５】
真空断熱材の端部を耐透湿性の部材で覆った請求項１から請求項４のいずれか一項に記載の断熱浴槽。
【請求項６】
真空断熱材の端部に配置された独立空間に、芯材と共に水分吸着剤を入れた請求項１から請求項５のいずれか一項に記載の断熱浴槽。
【発明の詳細な説明】
【技術分野】
【０００１】
本発明は、浴槽に真空断熱材を適用した断熱浴槽に関するものである。
【背景技術】
【０００２】
従来の断熱材を適用した浴槽として、湯温を一定に保つために浴槽の内側に断熱材を設けたものがある（例えば、特許文献１参照）。
【０００３】
特許文献１に開示された従来の断熱浴槽は、図５に示すように、浴槽１の内部空間に、４つの側面用と底面用の合計５枚の一定厚みの断熱材２を、入れたものである。この従来の断熱浴槽は、断熱材２が浴槽１内に配置されているので、浴槽１の断熱性能が高く、浴槽１の湯温の低下を抑えることができる。
【特許文献１】実公昭５６−５４８５２号公報
【発明の開示】
【発明が解決しようとする課題】
【０００４】
しかしながら、従来の断熱浴槽では、複数枚の断熱材２が必要である。また、曲面を有した浴槽の場合は、浴槽１の内部空間にも内曲ができるため、断熱材２に柔軟性が無い場合は、一定厚みの断熱材２を入れることは困難であり、隙間ができやすい。
【０００５】
本発明は、上記従来の課題を解決するもので、断熱材の枚数を減らすことができ、曲面を有した浴槽であっも断熱効果を高めることができる断熱浴槽を提供するものである。
【課題を解決するための手段】
【０００６】
上記目的を達成するために本発明は、ガスバリア性のラミネートフィルムで複数の芯材を覆い同一平面上の複数の独立空間に真空密封した真空断熱材で、浴槽の曲面または空間の複数の面を連続して覆ったのである。
【０００７】
これにより、断熱材の枚数を減らすことができ、曲面を有した浴槽であっも断熱効果を高めることができる。
【発明の効果】
【０００８】
本発明によれば、真空断熱材は芯材が無い部分で折り曲げることができるので、曲面に適用することができ、また、複数の面を連続して覆うことができ、浴槽の断熱すべき面の被覆率が高くなるので断熱効果が高くなる。それによって、湯温の低下を抑えることができる。
【発明を実施するための最良の形態】
【０００９】
請求項１に記載の断熱浴槽の発明は、ガスバリア性のラミネートフィルムで複数の芯材を覆い同一平面上の複数の独立空間に真空密封した真空断熱材で、浴槽の内部空間の曲面または前記内部空間の複数の面を連続して覆ったものであり、真空断熱材における芯材が無い部分で折り曲げることができるので、浴槽の内部空間の曲面に適用することができ、また、浴槽の内部空間を構成する複数の面を連続して覆うことができ、浴槽の内部空間の被覆率が高くなるので断熱効果が高くなる。それによって、湯温の低下を抑えることができる。
【００１０】
また、真空断熱材は、既存のウレタンやグラスウールと比べて熱伝導率が低いので、同じ断熱性能を薄い厚みで実現することができる。したがって、真空断熱材を用いることにより、浴槽の厚みを薄くすることができ、容積効率の向上が図れる。また、逆に真空断熱材を従来の断熱材と同じ厚みで使用すると、高い断熱性能が得られ、湯温の低下をさらに抑えることができる。
【００１１】
また、真空断熱材が浴槽内部にあることにより、外部からの衝撃が真空断熱材に直接加わることがないので、ラミネートフィルムに傷が付き難くなる。それによって、真空断熱材の破袋を低減することができ、断熱性能劣化を抑えることができるので、長期間の使用が可能となる。
【００１２】
また、浴槽の内部に真空断熱材があるので、据え置きタイプのように浴槽の周囲に何も配置されない場合であっても、高い断熱性能が得られ、湯温の低下をさらに抑えることができる。
【００１３】
請求項２に記載の断熱浴槽の発明は、ガスバリア性のラミネートフィルムで複数の芯材を覆い同一平面上の独立空間に真空密封した真空断熱材で、浴槽の外周面を構成する曲面または前記外周面を構成する複数の面を連続して覆い、前記真空断熱材を外気から遮断するように遮断部材で前記真空断熱材を覆ったものであり、真空断熱材における芯材が無い部分で折り曲げることができるので、浴槽の外周面を構成する曲面に適用することができ、また、浴槽の外周面を構成する複数の面を連続して覆うことができ、浴槽の外周面の被覆率が高くなるので断熱効果が高くなる。それによって、湯温の低下を抑えることができる。
【００１４】
また、真空断熱材を外気から遮断するように真空断熱材を覆う遮断部材を設けるので、真空断熱材が湿度の高い浴室の空気と触れることを防ぎ、真空断熱材の内部への水の侵入を低減することができる。それによって、真空度を維持できるので断熱性能劣化を抑えることができ、長期間の使用が可能となる。
【００１５】
また、真空断熱材は、既存のウレタンやグラスウールと比べて熱伝導率が低いので、同じ断熱性能を薄い厚みで実現することができる。したがって、真空断熱材を用いることにより、浴槽の厚みを薄くすることができ、容積効率の向上が図れる。また、逆に真空断熱材を従来の断熱材と同じ厚みで使用すると、高い断熱性能が得られ、湯温の低下をさらに抑えることができる。
【００１６】
また、外部からの衝撃が真空断熱材に直接加わることがないので、ラミネートフィルムに傷が付き難くなる。それによって、破袋を低減することができ、断熱性能劣化を抑えることができるので、長期間の使用が可能となる。
【００１７】
また、真空断熱材を浴槽の外側に配置するので、浴槽の内部に入れられないような仕様の浴槽にでも適用することができる。
【００１８】
請求項３に記載の断熱浴槽の発明は、請求項１または請求項２に記載の発明において、真空断熱材の周囲を耐透湿性の部材で覆ったものであり、真空断熱材の耐透湿性が向上するので、真空断熱材を配置した空間の湿度が上がっても、真空断熱材の内部への水の侵入を低減することができる。それによって、真空度を維持できるので断熱性能劣化を抑えることができ、長期間の使用が可能となる。
【００１９】
請求項４に記載の断熱浴槽の発明は、請求項３に記載の発明における耐透湿性の部材が耐透湿性の断熱材であるものであり、真空断熱材の内部への水の侵入を低減することができるだけでなく、断熱性能も向上するので、湯温の低下をさらに抑えることができる。特に、断熱性能が低い非芯材部（芯材が無い部分）付近の断熱性能が向上し、全体として高い断熱性能の向上が得られる。
【００２０】
請求項５に記載の断熱浴槽の発明は、請求項１から請求項４のいずれか一項に記載の発明において、真空断熱材の端部を耐透湿性の部材で覆ったものであり、真空断熱材の耐透湿性が向上するので、真空断熱材を配置した空間の湿度が上がっても、真空断熱材の内部への水の侵入を低減することができる。それによって、真空度を維持できるので断熱性能劣化を抑えることができ、長期間の使用が可能となる。
【００２１】
請求項６に記載の断熱浴槽の発明は、請求項１から請求項５のいずれか一項に記載の発明において、真空断熱材の端部に配置された独立空間に、芯材と共に水分吸着剤を入れたものであり、真空断熱材の端部から浸入した水を真空断熱材の端部に配置された水分吸着剤で吸着することができ、内部に配置された芯材への水の浸入を防ぐことができる。それにより、内部に無駄な吸着剤を使用しなくて済むので、コストを削減できる。
【００２２】
以下、本発明の実施の形態について、図面を参照しながら説明する。
【００２３】
（実施の形態１）
図１は、本発明の実施の形態１における断熱浴槽の断面図である。
【００２４】
図１に示すように、本実施の形態の断熱浴槽３ａは、真空断熱材４と、真空断熱材４を内部に入れた浴槽５とからなり、真空断熱材４は、複数の芯材６と、複数の芯材６を覆うラミネートフィルム７とからなる。複数の芯材６は、ラミネートフィルム７内の同一平面上の複数の独立空間に真空密封されてある。
【００２５】
また、本実施の形態の断熱浴槽３ａは、ガスバリア性のラミネートフィルム７で複数の芯材６を覆い同一平面上の複数の独立空間に真空密封した真空断熱材４で、浴槽５の内部空間の曲面と内部空間の複数の面を連続して覆ったものである。
【００２６】
以上のように、本実施の形態においては、ガスバリア性のラミネートフィルム７で複数の芯材６を覆い同一平面上の複数の独立空間に真空密封した真空断熱材４で、浴槽５の内部空間の曲面または前記内部空間の複数の面（隣り合う二面を含む）を連続して覆ったものであり、真空断熱材４における芯材が無い部分で折り曲げることができるので、浴槽５の内部空間の曲面に適用することができ、また、浴槽５の内部空間を構成する複数の面（隣り合う二面を含む）を連続して覆うことができ、浴槽５の内部空間を覆う真空断熱材４の被覆率が高くなるので断熱効果が高くなる。それによって、湯温の低下を抑えることができる。
【００２７】
また、真空断熱材４の非芯材部で切り目を入れ、３次元形状に曲げやすくして浴槽５に適用してもよい。曲面を有した浴槽５というのは、平板の真空断熱材では密着させて覆えない浴槽５を指す。
【００２８】
また、真空断熱材４は、既存のウレタンやグラスウールと比べて熱伝導率が低いので、同じ断熱性能を薄い厚みで実現することができる。したがって、真空断熱材４を用いることにより、浴槽５の厚みを薄くすることができ、容積効率の向上が図れる。また、逆に真空断熱材４を従来の断熱材と同じ厚みで使用すると、高い断熱性能が得られ、湯温の低下をさらに抑えることができる。
【００２９】
また、真空断熱材４が浴槽５内部にあることにより、外部からの衝撃が真空断熱材４に直接加わることがないので、ラミネートフィルム７に傷が付き難くなる。それによって、真空断熱材４の破袋を低減することができ、断熱性能劣化を抑えることができるので、長期間の使用が可能となる。
【００３０】
また、真空断熱材４が浴槽５の内部にあるので、据え置きタイプのように浴槽５の周囲に何も配置されない場合であっても、高い断熱性能が得られ、湯温の低下をさらに抑えることができる。
【００３１】
また、浴槽５の材質を耐透湿性に優れたものにすると、真空断熱材４が高湿度にさらされ難くなり、真空断熱材４の内部への水の侵入を低減することができる。それによって、真空度を維持できるので断熱性能劣化を抑えることができ、長期間の使用が可能となる。例えば、金属や耐透湿性のある樹脂等であり、ステンレス、ホーロー、強化プラスチック等が挙げられる。
【００３２】
また、複数の芯材６のサイズや形状は一様の必要はなく、被覆率を高くするために、浴槽５の平面に配置される個所の芯材６は大きくして、浴槽５の曲面に配置される芯材６は小さくしてもよい。
【００３３】
（実施の形態２）
図２は、本発明の実施の形態２における断熱浴槽の断面図である。図３は、同実施の形態の断熱浴槽に用いた真空断熱材の平面図である。
【００３４】
図２に示すように、本実施の形態の断熱浴槽３ｂは、実施の形態１の真空断熱材４を浴槽５の外側に配置し、真空断熱材４を外気から遮断するように遮断部材８を配置したものである。真空断熱材４は、端部を耐透湿性の部材で覆ったものであり、耐透湿性の部材とは例えばシール材９である。
【００３５】
また、本実施の形態の断熱浴槽３ｂは、ガスバリア性のラミネートフィルム７で複数の芯材６を覆い同一平面上の独立空間に真空密封した真空断熱材４で、浴槽５の外周面を構成する曲面または外周面を構成する複数の面を連続して覆い、真空断熱材４を外気から遮断するように遮断部材８で真空断熱材４を覆ったものである。
【００３６】
また、真空断熱材４の端部に配置された独立空間に、芯材６と共に水分吸着剤を入れることが望ましい。ここで真空断熱材４の端部としてあるが、釘打ちや接合の仕方により、真空になった芯材６部のいくつかを破袋させる場合には、その芯材６部周囲にある芯材６部にも、水分吸着剤を入れることが望ましい。
【００３７】
真空断熱材４を外気から遮断する遮断部材８として、耐透湿性に優れた材料からなるものが望ましい。例えば、金属や耐透湿性のある樹脂等であり、ステンレス、ホーロー、強化プラスチック等が挙げられる。遮断部材８が浴室と一体化していてもよい。
【００３８】
また、真空断熱材４の端部を覆う耐透湿性の部材とは、塗布して硬化させるタイプのシール材９が望ましく、例えば、シリコン系やエポキシ系からなる材料が望ましい。
【００３９】
以上のように、本実施の形態の断熱浴槽３ｂにおいては、ガスバリア性のラミネートフィルム７で複数の芯材６を覆い同一平面上の独立空間に真空密封した真空断熱材４で、浴槽５の外周面を構成する曲面または前記外周面を構成する複数の面（隣り合う二面を含む）を連続して覆い、真空断熱材４を外気から遮断するように遮断部材８で真空断熱材４を覆ったものであり、真空断熱材４における芯材６が無い部分で折り曲げることができるので、浴槽５の外周面を構成する曲面に適用することができ、また、浴槽５の外周面を構成する複数の面（隣り合う二面を含む）を連続して覆うことができ、浴槽５の外周面の被覆率が高くなるので断熱効果が高くなる。それによって、湯温の低下を抑えることができる。
【００４０】
また、真空断熱材４を外気から遮断するように真空断熱材４を覆う遮断部材８を設けるので、真空断熱材４が湿度の高い浴室の空気と触れることを防ぎ、真空断熱材４の内部への水の侵入を低減することができる。それによって、真空度を維持できるので断熱性能劣化を抑えることができ、長期間の使用が可能となる。
【００４１】
また、真空断熱材４は、既存のウレタンやグラスウールと比べて熱伝導率が低いので、同じ断熱性能を薄い厚みで実現することができる。したがって、真空断熱材４を用いることにより、浴槽５の厚みを薄くすることができ、容積効率の向上が図れる。また、逆に真空断熱材４を従来の断熱材と同じ厚みで使用すると、高い断熱性能が得られ、湯温の低下をさらに抑えることができる。
【００４２】
また、外部からの衝撃が真空断熱材４に直接加わることがないので、ラミネートフィルム７に傷が付き難くなる。それによって、真空断熱材４の破袋を低減することができ、断熱性能劣化を抑えることができるので、長期間の使用が可能となる。
【００４３】
また、真空断熱材４を浴槽５の外側に配置するので、浴槽５の内部に入れられないような仕様の浴槽５にでも適用することができる。
【００４４】
また、真空断熱材４の端部をシール材９（耐透湿性の部材）で覆ったことにより、真空断熱材４の耐透湿性が向上するので、真空断熱材４を配置した空間の湿度が上がっても、真空断熱材４の内部への水の侵入を低減することができる。それによって、真空度を維持できるので断熱性能劣化を抑えることができ、長期間の使用が可能となる。
【００４５】
また、真空断熱材４の端部に配置された独立空間に、芯材６と共に水分吸着剤を入れることにより、真空断熱材４の端部から浸入した水を真空断熱材４の端部に配置された水分吸着剤で吸着することができ、内部に配置された芯材６への水の浸入を防ぐことができる。それにより、内部に無駄な吸着剤を使用しなくて済むので、コストを削減できる。特に、面からの耐透湿性の優れたラミネートフィルム７を用いると、水の浸入は端部から支配的になるので効果的である。
【００４６】
（実施の形態３）
図４は、本発明の実施の形態３における断熱浴槽の断面図である。
【００４７】
図４に示すように、本実施の形態の断熱浴槽３ｃは、実施の形態２の真空断熱材４の周囲を耐透湿性の部材１０で覆ったものである。特に耐透湿性の部材１０は、断熱材が望ましい。例えば、耐透湿性のある発泡プラスチック系の断熱材が挙げられ、ポリスチレンフォーム、押出発泡ポリスチレン、硬質ウレタンフォーム等の断熱材が挙げられる。また、耐透湿性のある樹脂でもよく、フッ素系が挙げられる。本実施の形態ではポリスチレンフォームを使用している。
【００４８】
以上のように、本実施の形態においては、真空断熱材４の周囲を耐透湿性の部材１０で覆ったものであり、実施の形態２の効果に加え、耐透湿性がさらに向上するので、真空断熱材４を配置した空間の湿度が上がっても、真空断熱材４の内部への水の侵入を低減することができる。それによって、真空度を維持できるので断熱性能劣化を抑えることができ、長期間の使用が可能となる。
【００４９】
また、真空断熱材４で耐透湿性を確保できるので、耐透湿性の低い遮断部材８を使用することができる。例えば、木製などの浴槽５が挙げられる。
【００５０】
また、耐透湿性の部材１０に断熱材を用いると、断熱性能も向上するので、湯温の低下をさらに抑えることができる。特に、断熱性能が低い非芯材部付近の断熱性能が向上し、全体として高い断熱性能の向上が得られる。
【産業上の利用可能性】
【００５１】
以上のように、本発明の断熱浴槽は、真空断熱材を曲面に適用することができ、また、真空断熱材で複数の面を連続して覆うことができ、断熱すべき面の被覆率が高く断熱効果が高いという効果があるので、浴槽に限らず、高い断熱性能を必要とし、曲面を有した容器に転用することができる。例えば、洗面器、コップ、保温容器等の容器である。
【図面の簡単な説明】
【００５２】
【図１】本発明の実施の形態１における断熱浴槽の断面図
【図２】本発明の実施の形態２における断熱浴槽の断面図
【図３】同実施の形態の断熱浴槽に用いた真空断熱材の平面図
【図４】本発明の実施の形態３における断熱浴槽の断面図
【図５】従来の浴槽の断面図
【符号の説明】
【００５３】
３ａ，３ｂ，３ｃ  断熱浴槽
４      真空断熱材
５      浴槽
６      芯材
７      ラミネートフィルム
８      遮断部材
９      シール材
１０    ポリスチレンフォーム（耐透湿性の部材）
【図１】
2006102295.tif 000003
【図２】
2006102295.tif 000004
【図３】
2006102295.tif 000005
【図４】
2006102295.tif 000006
【図５】
2006102295.tif 000007